(57)【要約】  本発明に係る写真用光拡散筐体は、内部に光を反射する表面を有し、端部に開口部を有する筐体本体と、筐体本体の底部に搭載された光源と、光透過部材とを包含している。光透過部材は、特定形状を有する光透過領域と、光透過領域の外縁部に形成された光遮断領域とを含んでいる。光透過領域は、円形状、楕円形状、縞形状、五角形状または八角形状のいずれか１つのような、いずれかの適した形状であることが好ましい。光透過部材に特定形状を有する光透過領域を形成することによって、柔らかい光筐体から投影される光の点がいずれかの特定形状を示し、これにより写真撮影における様々な目的の要求を満たすことができる。
2008541338.tif 000002
【特許請求の範囲】
【請求項１】
開口部と、光を反射する内部表面とを有するケースと、
前記ケースの底部に設置された光源と、
前記光源の反対である前記ケースの開口部に取り付けられた光透過部材とを備え、
前記光透過部材は、特定形状を有する光透過領域と、当該光透過領域を囲む光遮断領域とを包含していることを特徴とする写真用光拡散筐体。
【請求項２】
前記光透過部材は、織物拡散層および当該織物拡散層上に位置する耐光性のシェルター層を包含しており、これにより前記シェルター層により覆われていない前記織物拡散層の光透過領域が前記特定形状になることを特徴とする請求項１に記載の写真用光拡散筐体。
【請求項３】
前記シェルター層は、前記織物拡散層に外側から着脱可能に張り付いている、または前記織物拡散層を外側から着脱可能に覆っているものであり、
前記シェルター層の縁部には、前記ケースをしなやかに取り囲み得る弾性材料を備えていることを特徴とする請求項２に記載の写真用光拡散筐体。
【請求項４】
前記光透過部材は単一の織物拡散層であり、前記光遮断領域は、当該織物拡散層上を印刷、染色またはコーティングすることにより形成され、当該織物拡散層上の印刷、染色またはコーティングされていない領域が前記光透過領域である、または、
前記光透過部材は中央に特定形状の孔を有する単一のシェルター層であり、当該孔領域が前記光透過領域であり、当該孔を取り囲む領域が前記シェルター層領域であることを特徴とする請求項１に記載の写真用光拡散筐体。
【請求項５】
前記光透過部材は、特定形状の織物拡散層と、前記織物拡散層と同一平面上において、前記織物拡散層の端部に結合したシェルター層と、前記ケースに着脱可能に結合した前記シェルター層の縁部とを包含していることを特徴とする請求項１に記載の写真用光拡散筐体。
【請求項６】
前記織物拡散層および前記シェルター層は縫い合わされることによって連続して形成されていることを特徴とする請求項２または５に記載の写真用光拡散筐体。
【請求項７】
前記光透過領域は、円形状、楕円形状、縞形状、五角形状または八角形状のいずれか１つであることを特徴とする請求項１、２、３、４または５に記載の写真用光拡散筐体。
【請求項８】
前記シェルター層の内部表面は、光を反射する表面であることを特徴とする請求項２、３または５に記載の写真用光拡散筐体。
【請求項９】
前記ケースはピラミッド型または八角形の円錐型であり、前記ケースはフレームと、当該フレームを覆い、光を反射する布とを包含していることを特徴とする請求項１に記載の写真用光拡散筐体。
【請求項１０】
前記ケースは溝形状であり、前記ケースの内部表面は光を反射する表面であり、前記ケースの底部には、光源として昼光電球が設置されていることを特徴とする請求項１に記載の写真用光拡散筐体。
【発明の詳細な説明】
【技術分野】
【０００１】
本発明は、写真用途に適した装置、特に、写真用途に適した光拡散筐体に関するものである。
【背景技術】
【０００２】
光拡散筐体は、点光源を平坦な面光源に変換するために現在広く用いられている。一般に、光拡散筐体は、ピラミッド型または八角形の円錐型に形成され、ピラミッド型のケースの頂点に光源が取り付けられている。ケースの側壁には反射用の布が張られており、光源の反対側であるケースの側端壁には、織物拡散層が張られている。光がケースを通って反射したとき、織物拡散層は四角形または八角形状を帯びる。写真撮影の要求のために、光拡散筐体が作り出すある特定の形状が望まれることもある。このような特定の形状には、球状、楕円形状、五角星形状、八角形状等が含まれるが、ピラミッド型または八角形の円錐型の通常の光拡散筐体においては、このような要求を満たし得ない。加えて、状態および製造コストの制限により、異なる要求を満たす全ての形状の光拡散筐体を作製することは困難である。このことは、写真家にいくつかの問題をもたらし、写真撮影に悪影響を及ぼす。
【発明の開示】
【発明が解決しようとする課題】
【０００３】
本発明の目的は、全ての要求を満たす特定の形状の光源を提供し得る改良された写真用光拡散筐体を提供することにある。
【課題を解決するための手段】
【０００４】
上述した課題を解決するために、本発明は、以下の技術体系を採用している。すなわち、本発明は、光を反射して輝く内部表面を有する開口したケースと、上記ケースの底部に取り付けられた光源と、上記ケースの開口部であり、かつ上記光源の反対側に取り付けられた光透過部材とを包含し、上記光透過部材は特定の形状の光透過領域と、上記光透過領域を囲む光遮断領域とを包含している、新規な改良された写真用光拡散筐体を採用している。
【０００５】
耐光性のシェルターが、織物拡散層の一部の領域を覆い、特定の形状の透過領域を残しているので、光拡散筐体から放出される白斑は、それに従って特定形状を帯びる。この特定の形状は、新規な光拡散筐体が写真撮影におけるすべての要求を満たす。
【発明を実施するための最良の形態】
【０００６】
本発明を図１に示す。本発明に係る光拡散筐体は、内部反射表面を有するケース１と、ケース底部に光源（図示せず）と、光透過部材とを包含している。光透過部材は、織物拡散層３と、織物拡散層３上に位置するシェルター層４とを包含している。その結果、シェルター層４は、光透過領域およびシェルター領域を生成している。織物拡散層は、布地、紙または写真撮影のために光を拡散する他の素材から生成され得る。
【０００７】
ケース１は、従来の光拡散筐体のものと概ね同一であり、ピラミッド型、八角形の円錐型等であり得る。本実施形態において、ケース１は、フレーム１０およびフレーム１０を覆う反射布１２を包含している。ケース１の一端には開口部１４が備えられている。反射布１２の内部表面は反射表面であり、進路をそれた光を集中させ、それらの光全てをケース１の開口部１４を通過させるために用いられる。
【０００８】
光源はケース１の底部に位置しており、写真撮影に必要な光を供給する。
【０００９】
織物拡散層３は、開口部１４を覆うために、ケース１の開口部１４に取り付けられている。織物拡散層３の機能は、光をそれほど強くなく弱めるものであり、ついで、弱めた光を撮影する対象に投影する。織物拡散層３上には耐光性のシェルター４を備えており、これらの材料は同一であってもよい。耐光性のシェルター４の内部表面は、ケースに再び戻る光をその表面上に投影させ、明部をさらに明るくさせることが可能な反射表面である。織物拡散層３上において覆われていない透過部３０は、特定の形状を帯びている。この透過部３０の形状は、球形状、楕円形状、五角星形状、八角形状等の形状の１つである。
【００１０】
耐光性シェルター４は、織物拡散層３に着脱可能に取り付けられており、例えば、織物拡散層３上に耐光性シェルター４を張り付けるための着脱可能な断片を用いてもよい。図２に示すように、着脱可能な粘着質紙、磁石薄片等を好適に使用することができる。さらに、耐光性シェルター４は、織物拡散層３の外部側面も覆っていてもよく、簡単に取り除くこともできる。耐光性シェルター４のふちには弾性のリング（図示せず）が備えられており、これにより耐光性シェルター４をケース１に固定していてもよい。これらの組立方法を用いて、耐光性シェルター４および織物拡散層３は、２つの平面上に設置される。
【００１１】
耐光性シェルター４と織物拡散層３とは、共に縫い合わせて一式とした連続体であってもよい。さらに、図３に示すように、耐光性シェルター４と織物拡散層３との間を他の結合方法により結合させてもよい。このとき、球形状、楕円形状、五角星形状、八角形状等のような特定の形状を有する織物拡散層３は、同一平面における縁部に耐光性シェルターを結合している。また、耐光性シェルター４の端部は、ケース１に移動可能に結合していてもよい。その代わりに、光透過部材は、織物拡散層に形成された単一の織物拡散層および耐光性シェルターであり得る。言い換えると、織物拡散層上の光遮断領域は、印刷、染色、コーティング等を行うことにより形成し、印刷、染色、コーティング等を行わない領域を光透過領域としてもよい。これにより、光透過領域の形状を確実に、球形状、楕円形状、五角星形状、八角形状等の中のある特定の形状にすることができる。加えて、織物拡散層を必要とせず、光透過部材をシェルター枠としてのみ用いてもよい。中央に特定形状の孔を有するシェルター枠を用いて、孔領域を光透過領域とし、当該孔を囲むシェルター枠領域を光遮断領域としてもよい。上記孔の形状は、円形状、楕円形状、縞形状、五角形状、八角形状等のいずれか１つである。
【００１２】
本発明は、耐光性シェルター４の全ての種類の組合せを有するケースと、織物拡散層３とを備えている。それゆえに、写真撮影を行う者は、所望の白斑形状に一致し、対応する組合せを選択することが可能である。
【００１３】
ケース１の構成もまた、他の選択肢を有している。すなわち、溝形状を有し、光を反射し得る高輝度金属により生成したケースを用いて、当該溝の底部に光源としていくつかの昼光電球を取り付けてもよい。そして、織物拡散層３および耐光性シェルター４を溝の切り込みにはめ込んでいる。
【００１４】
耐光性シェルター４は織物拡散層３のいくつかの領域を覆い、残りの領域を、特定形状を有する透過領域３０とする。これにより、光拡散筐体から投影される白斑は、対応する特定形状を帯びる。この特定形状により、本発明に係る新規な光拡散筐体は、写真撮影において要求されるすべての種類の形状を満たす。
【図面の簡単な説明】
【００１５】
【図１】図１は、本発明に係る光拡散筐体の斜視図である。
【図２】図２は、新規な本発明の織物拡散層および耐光性シェルターの間の異なる結合様式を示す断面図である。
【図３】図３は、新規な本発明の織物拡散層および耐光性シェルターの間の異なる結合様式を示す断面図である。
【図１】
2008541338.tif 000003
【図２】
2008541338.tif 000004
【図３】
2008541338.tif 000005
【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
開口部と、光を反射する内部表面とを有し、内部に光源を搭載可能なケースと、
前記ケースの開口部に取り付けられ、前記光源の反対側に位置する光透過部材とを備え、
前記光透過部材は、織物拡散層と当該織物拡散層上に位置する耐光性のシェルター層とを包含し、これにより前記織物拡散層の前記シェルター層により遮断されていない領域が特定形状を有する光透過領域になり、
前記シェルター層は、前記織物拡散層に着脱可能に取り付けられていることを特徴とする写真用光拡散筐体。
【請求項２】
前記シェルター層の縁部に、前記シェルター層が前記ケース上を取り囲むための弾性材料をさらに備えていることを特徴とする請求項１に記載の写真用光拡散筐体。
【請求項３】
前記シェルター層は、前記織物拡散層に外側から着脱可能に張り付いていることを特徴とする請求項１に記載の写真用光拡散筐体。
【請求項４】
前記シェルター層は、前記織物拡散層を外側から着脱可能に覆っていることを特徴とする請求項２に記載の写真用光拡散筐体。
【請求項５】
前記シェルター層の内部表面は、光を反射する表面であることを特徴とする請求項１〜４のいずれか１項に記載の写真用光拡散筐体。
【請求項６】
前記ケースは、ピラミッド型または八角形の円錐型であり、フレームと、当該フレームを覆い、光を反射する布とを有していることを特徴とする請求項５に記載の写真用光拡散筐体。
【請求項７】
前記光透過部材は、単一の織物拡散層であり、前記耐光性のシェルター層は、当該織物拡散層上を印刷、染色またはコーティングすることによって形成され、印刷、染色またはコーティングされていない領域が前記光透過領域になることを特徴とする請求項１に記載の写真用光拡散筐体。
【請求項８】
前記織物拡散層は特定形状であり、前記シェルター層は、前記織物拡散層の端部に結合していることを特徴とする請求項１に記載の写真用光拡散筐体。
【請求項９】
光透過部材を包含し、
前記光透過部材は、印刷、染色またはコーティングすることによって形成された光遮断領域と、光透過領域になる印刷、染色またはコーティングされていない領域とを有する単一の織物拡散層であることを特徴とする光拡散筐体に適した光透過装置。
【請求項１０】
前記光透過領域は、円形状、楕円形状、縞形状、五角形状または八角形状のいずれか１つであることを特徴とする請求項９に記載の光透過装置。
【請求項１１】
前記光遮断領域内部表面は、光を反射する表面であることを特徴とする請求項９に記載の光透過装置。
【請求項１２】
特定形状を有する織物拡散層と、前記織物拡散層の端部に結合したシェルター層とを包含し、これにより前記織物拡散層の前記シェルター層により覆われていない領域が、特定形状を有する光透過領域になることを特徴とする光拡散筐体に適した光透過装置。
【請求項１３】
前記織物拡散層および前記シェルター層は、縫い合わされることによって連続した形態であることを特徴とする請求項１２に記載の光透過装置。
【請求項１４】
前記シェルター層の内部表面は、光を反射する表面であることを特徴とする請求項１２または１３に記載の光透過装置。
【請求項１５】
前記光透過領域は、円形状、楕円形状、縞形状、五角形状または八角形状のいずれか１つであることを特徴とする請求項１４に記載の光透過装置。
【国際調査報告】
2008541338.tif 000006
2008541338.tif 000007
2008541338.tif 000008
2008541338.tif 000009
2008541338.tif 000010
2008541338.tif 000011